(57)【要約】 【課題】発光点間隔が離れている２波長又は３波長のレーザを出射できるＬＤを用いた場合に、光量ロスや特性劣化を起こすことなく、発光点位置が異なることにより生じる光軸倒れを補正すること。ＣＤ、ＤＶＤ、ＢＤを記録再生する光学系を省スペースとすること。【解決手段】光ピックアップに収納する光学系を、ＢＤ専用の１波長レーザダイオード１１と、ＣＤ又はＤＶＤ兼用の２波長レーザダイオード２８と、ＢＤ専用対物レンズ２３と、ＣＤ又はＤＶＤ兼用対物レンズ２４とを備えた構成とし、７８０ｎｍの波長のレーザ光を前記ＣＤ又はＤＶＤ専用対物レンズに入射するための光路変更角度を７８０ｎｍの波長のレーザ光の光軸倒れが解消するような角度にする。【選択図】図１
2005327388.tif 000002
【特許請求の範囲】
【請求項１】
第１のディスク専用の１波長レーザ光源から出射されたレーザ光を第１のディスクに集光し、この第１のディスクからの反射光を受光して受光素子に導く第１のディスク用光学系と、
第２ディスク又は第３ディスク兼用の２波長レーザ光源から出射されたレーザ光を第２ディスク又は第３ディスクに集光し、前記第２ディスク又は第３のディスクからの反射光を受光して受光素子に導く第２ディスク又は第３のディスク兼用光学系と、
前記第１のディスク用光学系と前記第２ディスク又は第３のディスク兼用光学系の共用部分と、
を具備することを特徴とする光ピックアップ。
【請求項２】
前記第１のディスク用光学系及び前記第２ディスク又は第３のディスク兼用光学系のディスクにレーザ光を集光すると共にその反射光を受光する共用部分に、第１のディスク専用対物レンズと第２ディスク又は第３のディスク兼用対物レンズを備えることを特徴とする請求項１記載の光ピックアップ。
【請求項３】
第１ディスク、第２のディスク又は第３のディスク兼用の３波長レーザ光源から出射されたレーザ光を第２ディスク、第３のディスク又は第１のディスクに集光し、前記第１ディスク、第２ディスク又は第３のディスクからの反射光を受光して受光素子に導く第１ディスク、第２のディスク又は第３のディスク兼用光学系を具備する、
ことを特徴とする光ピックアップ。
【請求項４】
前記第１ディスク、第２のディスク又は第３のディスク兼用光学系に第１のディスク専用対物レンズと第２ディスク又は第３のディスク兼用対物レンズを備えることを特徴とする請求項３記載の光ピックアップ。
【請求項５】
第１のディスク用レーザ光を前記第１のディスク専用の対物レンズに入射するために光路を変更する第１の光学素子或いは、第２ディスク又は第３のディスク用のレーザ光を前記第２ディスク又は第３のディスク兼用の対物レンズに入射するために光路を変更する第２の光学素子のいずれか一方又は両方の光路変更角度は、レーザ光の光軸倒れが解消するような角度にすることを特徴とする請求項２、４記載の光ピックアップ。
【請求項６】
前記第１のディスク専用の対物レンズ又は前記第２ディスク又は第３のディスク兼用の対物レンズのいずれか一方又は両方の配置角度をレーザ光の光軸倒れが解消するような角度にすることを特徴とする請求項２、４記載の光ピックアップ。
【請求項７】
前記第１のディスクはＢＤであり、前記第２のディスクはＤＶＤであり、前記第３のディスクはＣＤであることを特徴とする請求項１乃至６いずれか１記載の光ディスク装置。
【請求項８】
光ピックアップよりレ−ザ光をディスクに集光すると共に、そのディスクからの反射光を前記光ピックアップにより受光してデ−タを記録再生する光ディスク装置であって、
前記ピックアップは、第１のディスク専用の１波長レーザ光源から出射されたレーザ光を第１のディスクに集光し、この第１のディスクからの反射光を受光して受光素子に導く第１のディスク用光学系と、第２ディスク又は第３のディスク兼用の２波長レーザ光源から出射されたレーザ光を第２ディスク又は第３のディスクに集光し、前記第２ディスク又は第３のディスクからの反射光を受光して受光素子に導く第２ディスク又は第３のディスク兼用光学系と、前記第１のディスク用光学系と前記第２ディスク又は第３のディスク兼用光学系の共用部分と、
を具備することを特徴とする光ディスク装置。
【請求項９】
光ピックアップよりレ−ザ光を光記録媒体に集光すると共に、その光記録媒体からの反射光を前記光ピックアップにより受光してデ−タを記録再生する光ディスク装置であって、  前記ピックアップは、第１ディスク、第２のディスク又は第３のディスク兼用の３波長レーザ光源から出射されたレーザ光を第１ディスク、第２のディスク又は第３のディスクに集光し、前記第１ディスク、第２のディスク又は第３のディスクからの反射光を受光して受光素子に導く第１ディスク、第２のディスク又は第３のディスク兼用光学系を具備する、
ことを特徴とする光ディスク装置。
【請求項１０】
レーザ光の光軸倒れを補正する光軸倒れ補正方法であって、
第１のレーザ光を１波長専用対物レンズに入射するための光路変更角度或いは、第２又は第３のレーザ光を２波長兼用対物レンズに入射するための光路変更角度のいずれか一方又は両方の光路変更角度を、前記第１のレーザ光の光軸倒れか或いは、前記第２又は第３のレーザ光の光軸倒れが解消するような角度にすることを特徴とする光軸倒れ補正方法。
【請求項１１】
レーザ光の光軸倒れを補正する光軸倒れ補正方法であって、
第１のレーザ光を第１のディスクに集光させる１波長専用対物レンズ或いは、第２又は第３のレーザ光を第２又は第３のディスクに集光させる２波長兼用対物レンズのいずれか一方又は両方の配置角度を、前記第１のレーザ光の光軸倒れか或いは、前記第２又は第３のレーザ光の光軸倒れが解消するような角度にすることを特徴とする光軸倒れ補正方法。
【発明の詳細な説明】
【技術分野】
【０００１】
本発明は、ＣＤ、ＤＶＤ及びＢＤの３種類のディスクを記録再生可能な光ピックアップ及び光ディスク装置に係り、特に、発光点間隔が離れている２波長又は３波長のレーザダイオードから出射されたレーザ光の光軸倒れを補正する光軸倒れ補正方法に関する。
【背景技術】
【０００２】
近年、映像情報や音楽情報を記録再生するＣＤやＤＶＤが普及しているが、さらなる記録密度の向上及び大容量化の要求に応えるため、青色波長域の波長４０７ｎｍのレーザ光を用いるＢＤ（ブルーレイディスク）が登場してきた。
【０００３】
これに伴い、ＣＤ、ＤＶＤ及びＢＤの３種類のディスクを記録再生する光ディスク装置が開発されて製品化されている。このような光ディスク装置では、ＣＤ、ＤＶＤを兼用のピックアップとＢＤ専用の２個のピックアップを搭載するか、ＣＤ、ＤＶＤ、ＢＤを記録再生できる１個のピックアップを搭載すれば良いが、スペース性などからＣＤ、ＤＶＤ、ＢＤを１個で記録再生できるピックアップを搭載することが極めて自然である（特許文献１参照）。
【０００４】
このＣＤ、ＤＶＤ、ＢＤを１個のピックアップで記録再生する場合、ピックアップの小型化及び軽量化を図る上で、ＣＤ、ＤＶＤの２波長のレーザを出射できる２ｗ１ｃａｎＬＤ（レーザダイオード）とＢＤ専用の１波長のレーザを出射する１ｗ１ｃａｎＬＤとの組み合わせ或いは、ＣＤ、ＤＶＤ、ＢＤ用の３波長の３ｗ１ｃａｎＬＤを用いて光学系の省スペース化を行うことが必須である。
【特許文献１】特開平２００３−３２３７３５号公報  （第９頁、第１図）
【発明の開示】
【発明が解決しようとする課題】
【０００５】
しかしながら、１個で２波長又は、３波長のレーザを出射できるＬＤでは、波長毎の発光点間隔が離れているため、その後の光学系により光軸倒れが発生してしまう。この光軸倒れが発生すると、対物レンズに対して軸外の光は特性劣化につながるため、なるべく軸上で使用したいという要望がある。この問題に対して、従来は、特性が劣化したまま使用するか、光軸を補正する素子（光軸合成素子：例えばＨＯＥ等）を搭載するかであった。しかし、ＨＯＥ等の光軸合成素子を使用した場合は、光量ロスやその素子自体の収差による特性劣化が避けられなかった。
【０００６】
本発明は前記事情に鑑み案出されたものであって、本発明の目的は、発光点間隔が離れている２波長又は３波長のレーザを出射できるＬＤを用いた場合に、光量ロスや特性劣化を起こすことなく、発光点位置が異なることにより生じるレーザ光の光軸倒れを正常状態に補正することができ且つ、ＢＤ，ＤＶＤ又はＣＤを記録再生できる小型軽量の光ピックアップ及びこの光ピックアップを搭載した光ディスク装置及び前記レーザ光の光軸倒れを補正する光軸倒れ補正方法を提供することにある。
【課題を解決するための手段】
【０００７】
本発明は上記目的を達成するため、第１のディスク専用の１波長レーザ光源から出射されたレーザ光を第１のディスクに集光し、この第１のディスクからの反射光を受光して受光素子に導く第１のディスク用光学系と、第２のディスク又は第３のディスク兼用の２波長レーザ光源から出射されたレーザ光のいずれか１種類のレーザ光を第２のディスク又は第３のディスクに集光し、この第２のディスク又は第３のディスクのいずれかひとつのディスクからの反射光を受光して受光素子に導く第２のディスク又は第３のディスク兼用光学系と、前記第１のディスク用光学系と前記第２のディスク又は第３のディスク兼用光学系の共用部分とを具備することを特徴とする。
【０００８】
また、本発明は、第１のディスク、第２のディスク又は第３のディスク兼用の３波長レーザ光源から出射された３種類のレーザ光のひとつを第１のディスク、第２のディスク又は第３のディスクのいずれかひとつに集光し、この第１のディスク、第２のディスク又は第３のディスクのいずれかひとつのディスクからの反射光を受光して受光素子に導く第１のディスク、第２のディスク又は第３のディスク兼用光学系を具備することを特徴とする。
【０００９】
また、本発明は、光ピックアップよりレ−ザ光をディスクに集光すると共に、そのディスクからの反射光を前記光ピックアップにより受光してデ−タを記録再生する光ディスク装置であって、前記ピックアップは、第１のディスク専用の１波長レーザ光源から出射されたレーザ光を第１のディスクに集光し、この第１のディスクからの反射光を受光して受光素子に導く第１のディスク用光学系と、第２のディスク又は第３のディスク兼用の２波長レーザ光源から出射されたレーザ光を第２のディスク又は第３のディスクに集光し、前記第２のディスク又は第３のディスクからの反射光を受光して受光素子に導く第２のディスク又は第３のディスク兼用光学系と、前記第１のディスク用光学系と前記第２のディスク又は第３のディスク兼用光学系の共用部分とを具備することを特徴とする。
【００１０】
また、本発明は、光ピックアップよりレ−ザ光を光記録媒体に集光すると共に、その光記録媒体からの反射光を前記光ピックアップにより受光してデ−タを記録再生する光ディスク装置であって、前記光ピックアップは、第１のディスク、第２のディスク又は第３のディスク兼用の３波長レーザ光源から出射されたレーザ光を第１のディスク、第２のディスク又は第３のディスクに集光し、前記第１のディスク、第２のディスク又は第３のディスクからの反射光を受光して受光素子に導く第１のディスク、第２のディスク又は第３のディスク兼用光学系を具備することを特徴とする。
【００１１】
また、本発明は、レーザ光の光軸倒れを補正する光軸倒れ補正方法であって、第１のレーザ光を１波長専用対物レンズに入射するための光路変更角度或いは、第２又は第３のレーザ光を２波長兼用対物レンズに入射するための光路変更角度のいずれか一方又は両方の光路変更角度を、前記第１のレーザ光の光軸倒れか或いは、前記第２又は第３のレーザ光の光軸倒れが解消するような角度にすることを特徴とする。
【００１２】
また、本発明は、レーザ光の光軸倒れを補正する光軸倒れ補正方法であって、第１のレーザ光を第１のディスクに集光させる１波長専用対物レンズ或いは、第２又は第３のレーザ光を第２又は第３のディスクに集光させる２波長兼用対物レンズのいずれか一方又は両方の配置角度を、前記第１のレーザ光の光軸倒れか或いは、前記第２又は第３のレーザ光の光軸倒れが解消するような角度にすることを特徴とする。
【００１３】
このように本発明では、第１のディスク（例えばＢＤ）専用の１波長レーザ光源と、第２のディスク（例えばＤＶＤ）又は第３のディスク（例えばＣＤ）兼用の２波長レーザ光源と、第１のディスク専用対物レンズと、第２のディスク又は第３のディスク兼用対物レンズとを備えた省スペースの光学系を光ピックアップに収納する或いは、第１のディスク、第２のディスク又は第３のディスク兼用の３波長レーザ光源と、第１のディスク専用対物レンズと、第２のディスク又は第３のディスク兼用対物レンズとを備えた更に省スペースの光学系を光ピックアップに収納することによって、１個の光ピックアップにより３種類の第１のディスク、第２のディスク又は第３のディスクの記録再生を行うことができ且つ、光ピックアップの小型軽量化を図ることができる。
【００１４】
また、第１のレーザ光（例えば４０７ｎｍの波長のレーザ光）を第１の対物レンズ（例えばＢＤ専用対物レンズ）に入射するための光路変更角度又は、第２のレーザ光（例えば６５０ｎｍの波長のレーザ光）を前記第２の対物レンズ（例えばＣＤ又はＤＶＤ専用対物レンズ）に入射するための光路変更角度のいずれか一方又は両方の光路変更角度を第１又は第２のレーザ光のいずれか一方又は両方の光軸倒れが解消するような角度にするか或いは、第１のレーザ光を第１のディスクに集光させる第１の対物レンズ又は第２のレーザ光を第２のディスクに集光させる第２の対物レンズのいずれか一方又は両方の配置角度を前記第１又は第２のレーザ光のいずれか一方又は両方の光軸倒れが解消するような角度にすることにより、発光点位置が異なることにより生じるレーザ光の光軸倒れを正常状態に補正することができる。
【発明の効果】
【００１５】
本発明によれば、第１のディスク専用（例えばＢＤ）の１波長レーザ光源と、第２のディスク（例えばＤＶＤ）又は第３のディスク（例えばＣＤ）兼用の２波長レーザ光源と、第１のディスク専用対物レンズと、第２のディスク又は第３のディスク兼用対物レンズとを備えた省スペースの光学系を光ピックアップに収納するか或いは、第１のディスク、第２のディスク又は第３のディスク兼用の３波長レーザ光源と、第１のディスク専用対物レンズと、第２のディスク又は第３のディスク兼用対物レンズとを備えた省スペースの光学系を光ピックアップに収納し並びに、第１のレーザ光（例えば４０７ｎｍの波長のレーザ光）を第１の対物レンズ（例えばＢＤ専用対物レンズ）に入射するための光路変更角度又は、第２のレーザ光（例えば６５０ｎｍの波長のレーザ光）を前記第２の対物レンズ（例えばＣＤ又はＤＶＤ専用対物レンズ）に入射するための光路変更角度のいずれか一方又は両方の光路変更角度を第１又は第２のレーザ光のいずれか一方又は両方の光軸倒れが解消するような角度にするか或いは、第１のレーザ光を第１のディスクに集光させる第１の対物レンズ又は第２のレーザ光を第２のディスクに集光させる第２の対物レンズのいずれか一方又は両方の配置角度を前記第１又は第２のレーザ光のいずれか一方又は両方の光軸倒れが解消するような角度にすることにより、発光点間隔が離れている２波長又は３波長のレーザを出射できるレーザダイオードを用いた場合に、光量ロスや特性劣化を起こすことなく、レーザ光の光軸倒れを正常状態に補正することができ、また、１個の光ピックアップで例えばＢＤ、ＣＤ又は第３のディスクを記録再生でき且つ、この光ピックアップを小型軽量としてＢＤ、ＣＤ又はＤＶＤへの円滑なアクセスを可能とすることができる。
【発明を実施するための最良の形態】
【００１６】
発光点間隔が離れている２波長又は３波長のレーザを出射できるＬＤを用いた場合に、光量ロスや特性劣化を起こすことなく、発光点位置が異なることにより生じる光軸倒れの光軸を正常状態に補正すること及びＢＤ、ＣＤ又はＤＶＤを記録再生できる光ピックアップの小型軽量化を図る目的を、ＢＤ専用の１波長レーザ光源と、ＣＤ又はＤＶＤ兼用の２波長レーザ光源と、ＢＤ専用対物レンズと、ＣＤ又はＤＶＤ兼用対物レンズとを備えた省スペースの光学系を光ピックアップに収納するか或いは、ＢＤ、ＣＤ又はＤＶＤ兼用の３波長レーザ光源と、ＢＤ専用対物レンズと、ＣＤ又はＤＶＤ兼用対物レンズとを備えた省スペースの光学系を光ピックアップに収納し並びに、第１のレーザ光（例えば４０７ｎｍの波長のレーザ光）を第１の対物レンズ（例えばＢＤ専用対物レンズ）に入射するための光路変更角度又は、第２のレーザ光（例えば６５０ｎｍの波長のレーザ光）を前記第２の対物レンズ（例えばＣＤ又はＤＶＤ専用対物レンズ）に入射するための光路変更角度のいずれか一方又は両方の光路変更角度を第１又は第２のレーザ光のいずれか一方又は両方の光軸倒れが解消するような角度にする或いは、第１のレーザ光を第１のディスクに集光させる第１の対物レンズ又は第２のレーザ光を第２のディスクに集光させる第２の対物レンズのいずれか一方又は両方の配置角度を前記第１又は第２のレーザ光のいずれか一方又は両方の光軸倒れが解消するような角度にすることによって達成する。
【実施例１】
【００１７】
図１は、本発明の第１の実施の形態に係る光ピックアップの構成を示したブロック図である。本実施の形態の光ピックアップのＢＤ用レーザダイオード１１から出射した４０７ｎｍのレーザ光は、１／２波長板１２、ビームスプリッタ１３、グレーティング１６、ビームスプリッタ１７、ミラー１８、コリメータレンズ１９、３波長用ビームスプリッタ２０、パワー液晶２２、ＢＤ専用対物レンズ２３を通してＢＤ（不図示）に集光される構成を有する。その際、ＢＤ用レーザダイオード１１から出射したレーザ光の一部は、ビームスプリッタ１３をそのまま透過し、集光レンズ１４によりフロントモニター用フォトダイオードＩＣ１５に集光される構成を有する。ＢＤからの反射光は、ＢＤ専用対物レンズ２３、パワー液晶２２、３波長用ビームスプリッタ２０、コリメータレンズ１９、ミラー１８、ビームスプリッタ１７、ホログラム素子２５を通り、マルチレンズ２６によりフォトダイオードＩＣ２７に集光される。以上が本実施の形態の光ピックアップに搭載されるＢＤ専用の光学系の構成である。
【００１８】
また、本実施の形態の光ピックアップのＣＤ／ＤＶＤ用レーザダイオード２８から出射したＣＤ又はＤＶＤ用の７８０又は６５０ｎｍのレーザ光は、カップリングレンズ２９、ミラー３０、グレーティング３１、２波長用ビームスプリッタ３２、コリメータレンズ３３、３波長用ビームスプリッタ２０、パワー液晶２２、ＤＶＤ／ＣＤ用対物レンズ２４を通してＤＶＤ（不図示）に集光される構成を有する。その際、ＣＤ／ＤＶＤ用レーザダイオード２８から出射したレーザ光の一部は、ビームスプリッタ２０により９０度光路を変更され、フロントモニタ用フォトダイオードＩＣ２１に集光される構成を有する。ＣＤ又はＤＶＤからの反射光は、ＣＤ／ＤＶＤ用対物レンズ２４、パワー液晶２２、３波調用ビームスプリッタ２０、コリメータレンズ３３、２波長用ビームスプリッタミラー３２、シリンドリカルレンズ３４、光軸合成素子３５を通って、フォトダイオードＩＣ３６に集光される。以上が本実施の形態の光ピックアップに収納されるＣＤ／ＤＶＤ兼用の光学系であるが、ＣＤ又はＤＶＤ用及びＢＤの記録再生に対応するため、ＣＤ／ＤＶＤ用の２波長のレーザダイオード２８とＢＤ専用のレーザダイオード１１を有し、３波長ビームスプリッタ２０により光路を切り換えてＣＤ、ＤＶＤ、ＢＤを一つの光ピックアップで記録再生できるようにしている。上記のような光学系は光ピックアップの筐体３８内に収納され、この筐体３８は固定軸３９を摺動可能に取り付けて、光ディスクの半径方向に移動可能になっている。
【００１９】
次に本実施の形態の動作について説明する。ＢＤを記録又は再生する際には、上記したＢＤ用光学系が用いられる。ＣＤ又はＤＶＤを記録又は再生する際には、例えばＣＤ（ＣＤＲ，ＣＤＲＷ）を記録再生する場合、ＣＤ／ＤＶＤ用レーザダイオード２８からＣＤ用の７８０ｎｍのレーザ光が出射され、ＤＶＤ（ＤＶＤＲ、ＤＶＤＲＷ，ＤＶＤＲＡＭ）を記録再生する場合、ＣＤ／ＤＶＤ用レーザダイオード２８からＤＶＤ用の６５０ｎｍのレーザ光が出射され、いずれも上記したＣＤ／ＤＶＤ兼用の光学系を通してＣＤ又はＤＶＤに照射される。
【００２０】
この場合、レーザダイオード２８の発光点は２か所あり、その間がずれているため、光軸倒れが発生する。６５０ｎｍのレーザ光及び７８０ｎｍのレーザ光は共通のＣＤ／ＤＶＤ兼用対物レンズ２４によりそれぞれのディスクに集光される。その際に、６５０ｎｍのレーザ光の発光点を光軸に合わせておけば、７８０ｎｍのレーザ光が光軸から外れるため、この７８０ｎｍのレーザ光はＣＤ／ＤＶＤ兼用対物レンズ２４に斜めから入射することになり、ＣＤ／ＤＶＤ兼用対物レンズ２４の特性劣化が生じるが、この場合は波長が長いため、この特性劣化の影響はさほどない。
【００２１】
ここで、図１は１個のＣＤ／ＤＶＤ兼用レーザダイオード２８と１個のＢＤ専用レーザダイオード１１と、１個のＣＤ／ＤＶＤ兼用対物レンズ２４と１個のＢＤ専用対物レンズ２３により２ｗ１ｃａｎＬＤ＋１ｗ１ｃａｎＬＤの最も実用的な光学構成により省スペースを図った。しかし、２ｗ１ｃａｎＬＤ＋１ｗ１ｃａｎＬＤの組み合わせには他に、ＢＤ／ＤＶＤ兼用レーザダイオードとＣＤ専用レーザダイオード或いは、ＢＤ／ＣＤ用レーザダイオードとＤＶＤ専用レーザダイオードがあり、また、対物レンズの組み合わせにはＢＤ／ＤＶＤ兼用対物レンズと１個のＣＤ専用対物レンズ或いは、ＢＤ／ＣＤ兼用対物レンズとＤＶＤ専用対物レンズがあり、上記したレーザダイオードの種類と対物レンズの種類の組み合わせを相互に組み合わせると、各種の光学系が考えられる。
【００２２】
その中で、例えばＢＤ／ＤＶＤ兼用レーザダイオードとＣＤ専用レーザダイオードを用い、ＣＤ／ＤＶＤ兼用対物レンズとＢＤ専用対物レンズとを組み合わせた光学系を構成した場合、ＢＤ／ＤＶＤ兼用レーザダイオードから出射されるレーザの波長が両方共に短いため、光軸倒れによる光学系の特性劣化の影響が無視できなくなる。
【００２３】
図２は上記のような場合の光軸倒れを補正する方法を示したブロック図である。ＢＤ／ＤＶＤ兼用レーザダイオード６０において、４０７ｎｍのレーザ光の発光点６１を光軸上とする。６５０ｎｍの発光点６２は発光点６１とｄだけずれているため、当然６５０ｎｍの発光点６２は光軸からｄだけずれてしまう。発光点６１から出射した４０７ｎｍのレーザ光はコリメータレンズ５１で平行光になって２波長用ビームスプリッタ５２に入射され、そこで９０度反射されてＢＤ専用対物レンズ５３に入射し、このＢＤ専用対物レンズ５３によりＢＤ５６に集光される。この場合、４０７ｎｍのレーザ光を反射する膜５２１は４５度の角度に配置される。
【００２４】
発光点６２から出射した６５０ｎｍのレーザ光はコリメータレンズ５１で平行光になって２波長用ビームスプリッタ５２に入射され、そこを通過してミラー５４で９０度反射されてＣＤ／ＤＶＤ兼用対物レンズ５５に入射し、このＣＤ／ＤＶＤ兼用対物レンズ５５によりＤＶＤ５７に集光される。この場合、６５０ｎｍのレーザ光を反射するミラー５４の配置角度θは４５度より若干大きくなっている。但し、コリメータの焦点距離をｆｃｌ、ＬＤの発光点ずれ量をｄとした場合、θ＝４５°＋１／２×ａｒｃｔａｎ（ｄ／ｆｃｌ）で表される。これにより、ＣＤ／ＤＶＤ兼用対物レンズ５５に入射される際には、６５０ｎｍのレーザ光の光軸倒れが補正されて、正常な方向からＣＤ／ＤＶＤ兼用対物レンズ５５に入射される。
【００２５】
尚、図１に示した光学系での光軸倒れを補正する構成は、図２のような簡単な構成にはならず多くの光学部品が光路に挿入された形になるが、２波長のレーザ光の光路を分岐してそれぞれの対物レンズに振り分けて入射するための２波長用ビームスプリッタ５２とミラー５４に相当する光学部品があれば上記した原理で光軸倒れを補正することができる。
【００２６】
また、上記実施の形態では、ミラー５４の反射角度を調整したが、４０７ｎｍのレーザ光に光軸倒れがある場合は２波長用ビームスプリッタ５２の反射角度を調整する構成もあり、両方のレーザ光に光軸倒れがある場合はミラー５４及び２波長用ビームスプリッタ５２の両方の反射角度を調整することになる。
【００２７】
本実施の形態によれば、１個のＣＤ／ＤＶＤ兼用レーザダイオード２８と１個のＢＤ専用レーザダイオード１１と、１個のＣＤ／ＤＶＤ兼用対物レンズ２４と１個のＢＤ専用対物レンズ２３により２ｗ１ｃａｎＬＤ＋１ｗ１ｃａｎＬＤの光学構成を有し且つ、ＣＤ／ＤＶＤ兼用の光学系とＢＤ専用の光学系の一部が共通であるため、光学部品点数を少なくできて省スペースを図ることができ、この光学系を搭載するピックアップの小型軽量化を図ることができる。
【００２８】
また、２波長用のレーザダイオード６０から出射された発光点の位置がずれている２波長のレーザ光の光路を分岐してそれぞれの対物レンズに振り分けて入射する際に、光路を分岐する際の角度、上記例ではミラー５４の配置角度を調整することにより、光軸倒れでミラー５４に入射したレーザ光の光軸をＣＤ／ＤＶＤ兼用対物レンズ５５の光軸に合わせることにより、前記レーザ光の光軸倒れを補正することができる。その際に、光量ロスや素子自体の収差による特性劣化がなく、また、高価な部品を用いることもないため極めて安価にレーザ光の光軸倒れを補正して、高品質の記録再生特性を得ることができる。
【００２９】
尚、光軸倒れを補正する方法としては、図２に示した対物レンズ５５自体を傾けることによって光軸を揃えることもできる。この場合も、４０７ｎｍのレーザ光が光軸倒れを起こしている場合は対物レンズ５３自体を傾けることによって光軸を揃えることなり、両方のレーザ光が光軸倒れを起こしている場合は両対物レンズ５３、５５自体を傾けることによって光軸を揃えることなる。
【実施例２】
【００３０】
次に本発明の第２の実施の形態に係る光ピックアップの構成について以下に説明する。本例の光ピックアップはＢＤ、ＤＶＤ、ＣＤ用の３波長用のレーザダイオードを１個用いる３ｗ１ｃａｎＬＤを有する光学系（図示せず）を搭載するもので、その構成は図１に示した光学系よりさらにシンプルとすることができ、ピックアップの一層の小型軽量化を図ることができる。
【００３１】
ところで、上記のような３波長用のレーザダイオードから出射されるレーザ光は波長が４０７、６５０、７８０ｎｍと異なると共に、その出射パワーも異なるため、それぞれのディスクにレーザ光を集光させる際の最適な光学倍率も異なっており、ＢＤは１０から１２倍、ＤＶＤは５倍、ＣＤは４倍くらいである。そこで、本実施の形態では、各波長のレーザを光学系を通してディスクに照射する際の上記した最適光学倍率を以下に述べるような構成にて実現した。
【００３２】
図３はレーザ光を集光させる際の光学倍率を決定する光学系を示したブロック図である。レーザダイオード９１から出射したレーザ光はコリメータレンズ９２により平行光になり、このレーザ光が対物レンズ９３によりディスク９４に集光される。このような光学系の光学倍率βは対物レンズ９３の焦点距離をｆ１とし、コリメータレンズ９２の焦点距離をｆ２とした時、β＝ｆ２／ｆ１…（１）で表される。したがって、ＣＤ、ＤＶＤ、ＢＤの最適倍率を実現するに当り、コリメータレンズ９２の焦点距離ｆ２を一定にすれば、倍率を高くするほど（１）式の分母を小さくしなければならない。即ち、図３の光学系の対物レンズ９３をＢＤ、ＤＶＤ、ＣＤ用とした場合、対物レンズ９３の焦点距離ｆ１はこの順番で長くなる。
【００３３】
３波長用のレーザダイオードを１個用いる３ｗ１ｃａｎＬＤを有する光学系において、省スペース化のためにＢＤ専用レンズとＣＤ／ＤＶＤ兼用レンズを使用する場合、ＤＶＤ専用レンズとＣＤ／ＢＤ兼用レンズを使用する場合、ＣＤ専用レンズとＢＤ／ＤＶＤ兼用レンズを使用する場合の３通りがあるが、最適倍率を実現すると（共通レンズは適当な妥協倍率）、図３の考察よりＣＤ専用レンズの焦点距離がＢＤ／ＤＶＤ兼用対物レンズの焦点距離よりも長い、ＤＶＤ／ＣＤ兼用対物レンズの焦点距離がＢＤ専用の対物レンズの焦点距離よりも長い、ＢＤ／ＣＤ兼用対物レンズの焦点距離がＤＶＤの対物レンズの焦点距離よりも長い場合の３通りがある。尚、上記のように専用レンズと兼用レンズの焦点距離の関係は図１に示した２ｗ１ｃａｎＬＤ＋１ｗ１ｃａｎＬＤが搭載された構成にも同様に適用され、同様な効果がある。
【実施例３】
【００３４】
図４は、本発明の第３の実施の形態に係る光ディスク装置の要部の構成を示したブロック図である。光ディスク装置は、ＤＶＤ±Ｒ／ＲＷやＣＤ−Ｒ／ＲＷ、又はＢＤのようなディスク型のディスク２０２に対して光ピックアップ２０４によりアクセスし、データを記録再生するものであり、ディスク２０２を回転駆動する駆動手段としてのスピンドルモータ２０３と、ディスク２０２に対してデータの読み書きを行う光ピックアップ２０４と、この光ピックアップ２０４をディスク２０２の半径方向に移動する駆動手段としての送りモータ２０５と、装置全体の制御などを行うシステムコントローラ２０７と、プリアンプ２２０から出力信号に基づく復調及び誤り訂正処理等の所定の処理を行う信号処理部２０８と、スピンドルモータ２０３及び送りモータ２０５を制御するサーボ制御部２０９と、光ピックアップ２０４から出力される各種の信号に基づいてフォーカスエラー信号、トラッキングエラー信号、ＲＦ信号などを生成するプリアンプ２２０と、信号処理部２０８と外部コンピュータ２３０を接続するインターフェース２１１と、光ピックアップ２０４内のレーザ光源を駆動するレーザ制御部２２１と、ディスク２０２に記録された信号を再生信号として受け取ると共に、データを信号処理部２０８により変調してレーザ制御部２２１に出力して光ピックアップ２０４内のレーザ光源を駆動する外部コンピュータ２３０と、信号処理部２０８からの信号をＤ／Ａ変換し或いは、オーディオ・ビジュアル処理部２１３からの信号をＡ／Ｄ変換するＤ／Ａ、Ａ／Ｄコンバータ２１２と、記録又は再生オーディオ・ビデオ信号を処理するオーディオ・ビジュアル処理部２１３を有して構成される。ここで、光ピックアップ２０４は図１に示した第１の実施の形態の光学系を収納している。
【００３５】
上記光ピックアップ２０４には、例えばディスク２０２上の所定の記録トラックまで移動させるための送りモータ２０５が接続されている。スピンドルモータ２０３の制御、送りモータ２０５の制御、光ピックアップ２０４の対物レンズを保持する二軸アクチュエータのフォーカシング方向及びトラッキング方向の制御は、それぞれサーボ制御部２０９がプリアンプ２２０から入力されるフォーカスエラー信号、トラッキングエラー信号に基づいて行われる。また、レーザ制御部２２１は、光ピックアップ２０４内のレーザダイオード１１、２８を制御するものであり、レーザダイオード１１、２８の出力パワーを記録モード時と再生モード時で可変制御する。
【００３６】
本実施の形態によれば、第１の実施の形態で示した２ｗ１ｃａｎＬＤ＋１ｗ１ｃａｎＬＤの光学構成（或いは、第２の実施の形態で説明した３ｗ１ｃａｎＬＤの光学構成）を有する光ピックアップ２０４を搭載しているため、ＢＤ、ＤＶＤ、ＣＤの３種類のディスクを記録再生することができ且つ、小型軽量のため円滑にディスク２０２の目標アドレス部に円滑なアクセスを行うことができる。
【００３７】
尚、本発明は上記実施の形態に限定されることなく、その要旨を逸脱しない範囲において、具体的な構成、機能、作用、効果において、他の種々の形態によっても実施することができる。
【図面の簡単な説明】
【００３８】
【図１】本発明の第１の実施の形態に係る光ピックアップの構成を示したブロック図である。
【図２】光軸倒れを補正する方法を示したブロック図である。
【図３】レーザ光を集光させる際の光学倍率を決定する光学系を示したブロック図である。
【図４】本発明の第３の実施の形態に係る光ディスク装置の要部の構成を示したブロック図である。
【符号の説明】
【００３９】
１１、２８、６０、９１……レーザダイオード、１２……１／２波長板、１３、１７、２０、３２、５２……ビームスプリッタ、１４……集光レンズ、１５、２１、２７、３６……フォトダイオードＩＣ、１６、３１……グレーティング、１８、３０、５４……ミラー、１９、３３……コリメータレンズ、２２……パワー液晶、２３、２４、５３、５５、９３……対物レンズ、２５……ホログラム素子、２６……マルチレンズ、２９……カップリングレンズ、３４……シリンドリカルレンズ、３５……光軸合成素子、５１、９２……コリメータレンズ、５６……ＢＤ、５７……ＤＶＤ、９４……ディスク、２０４……光ピックアップ。
【図１】
2005327388.tif 000003
【図２】
2005327388.tif 000004
【図３】
2005327388.tif 000005
【図４】
2005327388.tif 000006